(57)【要約】【課題】平板型表示装置において、機能拡張カードを装着できるようにした場合にも、奥行き寸法を大きくすることなく、外観のデザインに制約を与えることのない構成を提供することを目的とする。【解決手段】平板型の表示ユニットを収容しかつ前記表示ユニットの表示領域に対応した窓を有するとともに表示領域以外の周辺部を覆う前面枠を備えた筐体と、この筐体に設けられかつ着脱自在の機能拡張カード２０を挿入するための挿入口と、この挿入口より挿入される機能拡張カード２０が装着され前記筐体内に配設した接続コネクタ２２と、前記筐体内の位置で前記接続コネクタ２２と挿入口との間に配設されかつ前記挿入口を開閉する可動蓋２３とを有し、前記可動蓋２３は前記機能拡張カード２０の挿入方向に対してほぼ直角方向にスライドする構成とした。【選択図】図３
2005331558.tif 000002
【特許請求の範囲】
【請求項１】
平板型の表示ユニットを収容しかつ前記表示ユニットの表示領域に対応した窓を有するとともに表示領域以外の周辺部を覆う前面枠を備えた筐体と、この筐体に設けられかつ着脱自在の機能拡張カードを挿入するための挿入口と、この挿入口より挿入される機能拡張カードが装着され前記筐体内に配設した接続コネクタと、前記筐体内の位置で前記接続コネクタと挿入口との間に配設されかつ前記挿入口を開閉する可動蓋とを有し、前記可動蓋は前記機能拡張カードの挿入方向に対してほぼ直角方向にスライドする構成とした平板型表示装置。
【請求項２】
可動蓋は、常時挿入口を塞ぐように配設され、かつ可動蓋の挿入口を塞ぐ端部であって機能拡張カードの先端が当接する部分に傾斜面を設け、その傾斜面を機能拡張カードの先端が押すことにより可動蓋をスライドさせるように構成した請求項１に記載の平板型表示装置。
【請求項３】
可動蓋は両開きの可動蓋とした請求項１または２に記載の平板型表示装置。
【発明の詳細な説明】
【技術分野】
【０００１】
本発明は、大画面で、薄型、軽量のディスプレイ装置として知られているプラズマディスプレイなどの平面型表示装置に関するものである。
【背景技術】
【０００２】
近年、大型の平板型表示装置として普及しているプラズマディスプレイは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００３】
以下、プラズマディスプレイについて、図７〜図９を用いて説明する。まず、プラズマディスプレイにおけるプラズマディスプレイパネルの構造について図７を用いて説明する。図７に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００４】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００５】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００６】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００７】
図８は上記で説明した構造のパネルを組み込んだプラズマディスプレイの全体構成の一例を示す分解斜視図である。図において、パネル１０は、アルミニウム等からなるシャーシ部材１１の前面に熱伝導シート１２を介して接着することにより保持され、そしてシャーシ部材１１の後面側には、パネル１０を表示駆動させるための複数の回路ブロック１３が取り付けられ、これにより表示ユニットが構成されている。前記熱伝導シート１２は、パネル１０で発生した熱をシャーシ部材１１に効率よく伝え、放熱を行うためのものである。また、回路ブロック１３はパネル１０の表示駆動とその制御を行うための電気回路を備えており、パネル１０の縁部に引き出された電極引出部に、シャーシ部材１１の四辺の縁部を越えて延びる複数のフレキシブル配線板（図示せず）によって電気的に接続されている。
【０００８】
前記表示ユニットを収容する筐体は、表示ユニットの回路ブロック１３が配置された背面側を覆うように配設したバックカバー１４と、前記表示ユニットのパネル１０の前面側に配置されかつ前記パネル１０の表示領域に対応した窓１５ａを有するとともに表示領域以外の周辺部を覆う前面枠１５とから構成され、前面枠１５の窓１５ａには光学フィルターおよびパネル１０の保護を兼ねた前面ガラス１６が配置されている。また、この前面ガラス１６には電磁波の不要輻射を抑制するために、例えば銀蒸着が施されている。さらに、バックカバー１４には、パネル１０等で発生した熱を外部に放出するための複数の通気孔１４ａが設けられている。また、シャーシ部材１１の後面には、回路ブロック１３を取り付けたり、バックカバー１４を固定するためのボス部１１ａが設けられている。
【０００９】
図９は完成状態のプラズマディスプレイを前面側から見た斜視図で、前面枠１５の前面の下部には、電源ボタン１７、動作表示ランプ１８、リモコン受光部１９が配置されている（特許文献１参照）。
【特許文献１】特開２００４−７２１４９号公報
【発明の開示】
【発明が解決しようとする課題】
【００１０】
最近、このようなプラズマディスプレイを用いたテレビジョン受信機においては、半導体メモリカードなどの機能拡張カードを外部から着脱自在に装着できるように、機能拡張カードを挿入するための挿入口を筐体に設けたものが要望されている。しかしながら、機能拡張カードの挿入口には、内部にごみや埃などの異物が容易に入らないように蓋を設ける必要があるが、プラズマディスプレイは薄型の平板型の表示装置であるため、蓋を設ける奥行きの寸法に制約があり、このため外観のデザインを考える上でも制約を受けるという課題があった。
【００１１】
本発明はこのような課題を解決し、機能拡張カードを装着できるようにした場合にも、奥行き寸法を大きくすることなく、外観のデザインに制約を与えることのない構成を提供することを目的とするものである。
【課題を解決するための手段】
【００１２】
この課題を解決するために本発明は、平板型の表示ユニットを収容しかつ前記表示ユニットの表示領域に対応した窓を有するとともに表示領域以外の周辺部を覆う前面枠を備えた筐体と、この筐体に設けられかつ着脱自在の機能拡張カードを挿入するための挿入口と、この挿入口より挿入される機能拡張カードが装着され前記筐体内に配設した接続コネクタと、前記筐体内の位置で前記接続コネクタと挿入口との間に配設されかつ前記挿入口を開閉する可動蓋とを有し、前記可動蓋は前記機能拡張カードの挿入方向に対してほぼ直角方向にスライドする構成としたものである。
【００１３】
また、可動蓋は、常時挿入口を塞ぐように配設され、かつ可動蓋の挿入口を塞ぐ端部であって機能拡張カードの先端が当接する部分に傾斜面を設け、その傾斜面を機能拡張カードの先端が押すことにより可動蓋をスライドさせるように構成したものである。さらに、可動蓋は両開きの可動蓋としてもよいものである。
【発明の効果】
【００１４】
本発明によれば、機能拡張カードを装着できるようにした場合にも、奥行き寸法を大きくすることなく、外観のデザインに制約を与えることのない構成を提供することができる。
【発明を実施するための最良の形態】
【００１５】
以下、本発明の一実施の形態による平面型表示装置について、図１〜図６の図面を用いて説明する。
【００１６】
図１に本発明の一実施の形態によるプラズマディスプレイの外観を示し、図２にその要部を拡大して示している。図１において、本発明のプラズマディスプレイ装置は、パネル及びこのパネルの背面側に配置されかつパネルに信号を印加して表示を行う回路ブロックからなる表示ユニットの背面側を覆うように配設した金属製のバックカバー１４と、このバックカバー１４とともに前記表示ユニットを収容する筐体を構成して前記パネルの前面側に配置されかつ前記パネルの表示領域に対応した窓１５ａを有するとともに表示領域以外の周辺部を覆う金属または耐熱性の樹脂からなる前面枠１５とを備えており、前面枠１５の前面の下部には、電源ボタン１７、動作表示ランプ１８、リモコン受光部１９が配置されている。
【００１７】
また、図２において筐体の前面枠１５には、表示装置に着脱自在に装着される半導体メモリカードなどの機能拡張カード２０を挿入するための挿入口２１が設けられている。図３にはその挿入口２１内部の筐体内の構成を示し、図４には機能拡張カードを挿入したときの動きを示している。
【００１８】
図３、図４に示すように、筐体内には、挿入口２１より挿入される機能拡張カード２０が装着される接続コネクタ２２が配設され、そして前記筐体内の位置である前面枠１５の内側には、前記接続コネクタ２２と挿入口２１との間に位置し、挿入口２１を開閉する可動蓋２３が設けられている。この可動蓋２３は、図３の矢印で示すように、前記機能拡張カード２０の挿入方向に対してほぼ直角方向の上方向にスライドする構成である。なお、２４は可動蓋２３の先端が当接する受板で、前面枠１５の内側に固定して配設されている。
【００１９】
前記可動蓋２３は、常時挿入口２１を塞ぐように、ばねなどにより弾性を持たせて前記受板２４に当接する方向に押されており、また可動蓋２３の挿入口２１を塞ぐ端部には、前記機能拡張カード２０の先端が当接する部分に傾斜面２３ａが設けられている。すなわち、図４（ａ）、（ｂ）、（ｃ）に示すように、機能拡張カード２０を前面枠１５の挿入口２１より挿入することにより、機能拡張カード２０の先端が可動蓋２３の傾斜面２３ａに当接し、そしてさらに機能拡張カード２０を挿入して傾斜面２３ａを先端が押すことにより、可動蓋２３は上方向にスライドして挿入口２１を開き、これにより機能拡張カード２０は接続コネクタ２２に装着できることとなる。
【００２０】
ここで、図３、図４の例では、可動蓋２３が上方向にスライドする構成としたが、可動蓋２３を上方向にスライドさせた場合に他の構造物と干渉してしまうときには、図５に示すように、下方向にスライドさせる構成とすることもできる。また、図６に示すように、可動蓋２３を両開き構造としてもよく、この場合には、２枚のそれぞれの可動蓋２３の移動距離を、一方のみスライドさせる場合の半分にすることができ、他の構造物への干渉をさらに防ぐことができる。
【００２１】
以上のように本発明によれば、機能拡張カードの挿入口を開閉する可動蓋を機能拡張カードの挿入方向に対してほぼ直角方向にスライドする構成としたものであり、薄型のプラズマディスプレイなどの平板型表示装置の奥行き寸法を大きくすることなく、しかも外観のデザインに制約を与えることのない、機能拡張カードを装着する構成を提供することができる。
【産業上の利用可能性】
【００２２】
以上の説明から明らかなように、本発明は、機能拡張カードを装着できるようにした場合にも、奥行き寸法を大きくすることなく、外観のデザインに制約を与えることのない構成を提供することができ、平板型表示装置の商品価値を高める上で有用な発明である。
【図面の簡単な説明】
【００２３】
【図１】本発明の一実施の形態によるプラズマディスプレイの外観図
【図２】同じく主要部の構成を示す拡大図
【図３】同じく可動蓋部分の構成を示す拡大図
【図４】同じく可動蓋の動作を説明するための断面図
【図５】可動蓋の他の例を示す断面図
【図６】同じく可動蓋の他の例を示す断面図
【図７】プラズマディスプレイのパネル構造を示す斜視図
【図８】プラズマディスプレイの全体構成を示す分解斜視図
【図９】完成状態のプラズマディスプレイを前面側から見た斜視図
【符号の説明】
【００２４】
１５  前面枠
２０  機能拡張カード
２１  挿入口
２２  接続コネクタ
２３  可動蓋
２３ａ  傾斜面
【図１】
2005331558.tif 000003
【図２】
2005331558.tif 000004
【図３】
2005331558.tif 000005
【図４】
2005331558.tif 000006
【図５】
2005331558.tif 000007
【図６】
2005331558.tif 000008
【図７】
2005331558.tif 000009
【図８】
2005331558.tif 000010
【図９】
2005331558.tif 000011